(57)【特許請求の範囲】
【請求項１】
撮像信号からカメラ信号処理して得られる映像信号もしくは記録媒体に一旦記録された映像信号を遠隔地に伝送する通信装置付きカメラ装置において、
複数の異なる回線と接続する接続手段と、
上記複数の異なる回線から伝送時に使用する回線を指定すると共に、伝送条件を設定する設定入力手段と、
上記設定入力手段の出力に基づいて使用する通信回線の伝送レートで伝送可能かどうかの判定処理を行うと共に、伝送可能な場合には、制御情報を生成する制御手段と、
上記制御手段からの制御情報に基づいて撮像信号からカメラ信号処理して得られる映像信号もしくは記録媒体に一旦記録された映像信号を圧縮するデータ圧縮手段と、
上記制御手段からの制御情報に基づいて上記複数の異なる回線の中から指定された回線に応じた送信信号処理を行う信号処理手段とを備え、
上記記録媒体に一旦記録された映像信号を伝送するときで、上記使用する通信回線の伝送レートが該記録媒体に記録された映像信号のデータレートよりも低い場合に、
上記データ圧縮手段によって上記記録媒体に記録された映像信号が圧縮され、上記信号処理手段によって上記圧縮された映像信号に対して上記使用する通信回線に応じた送信信号処理が行われると共に、
上記設定入力手段によって上記記録媒体に記録された映像信号の中から所定部分が指定され、上記信号処理手段によって上記指定された所定部分の映像信号に対して上記使用する通信回線に応じた送信信号処理が行われる通信装置付きカメラ装置。
【請求項２】
請求項１において、
さらに、表示手段を備え、
上記表示手段は、上記制御手段における判定結果に応じた表示を行うことを特徴とする通信装置付きカメラ装置。
【発明の詳細な説明】
【０００１】
【発明の属する技術分野】
この発明は、例えば、放送局等へのニュース素材の伝送等に用いて好適な利用する通信回線の伝送能力に応じて画像・音声データ等に対して適切な信号処理を行って伝送する通信装置付きカメラ装置に関する。
【０００２】
【従来の技術】
現行のテレビジョン放送方式（NTSC,PAL) の高品位なビデオデータは、例えば、データレートで２７０Ｍbps （ブランキング部を含む）あり、カメラの映像・音声データをリアルタイムで伝送するためには、十分な伝送能力を有する通信回線が必要となる。また、十分な伝送能力を有する通信回線を利用できない場合には、送信側において所定のアルゴリズムで映像・音声データを圧縮処理して伝送し、受信側において解凍処理する必要がある。例えば、データの圧縮方式の規格としては、モーションＪＰＥＧ（Joint Photographic Expart Group)、ＭＰＥＧ（Moving Picture Expert Group)、ＭＰＥＧ−２等が存在している。
【０００３】
ところで、取材現場等においてカメラ装置等により取材されて撮影記録されたニュース素材を放送局等へ送る実際の場合には、衛星回線やマイクロ波回線を利用した大掛かりな中継装置等を用いて伝送するか、若しくは、カメラ装置から記録媒体を取り出し、その記録媒体を輸送して直接放送局等に持ち込む等の方法がとられる。
【０００４】
【発明が解決しようとする課題】
しかしながら、上述したように映像・音声データを圧縮処理を行わず通信回線を利用して伝送する場合においては、回線使用料金が高価なため現実的でなく、生のビデオデータ全てをそのまま伝送することは、困難である。また、記録媒体を輸送する方法の場合には、即時性や機動性が十分でない問題点を有している。さらに、圧縮処理を行って伝送する場合には、使用する回線が頻繁に変わるような場合において、その伝送路が有する伝送能力に応じて圧縮レートを変更する等の煩雑な処理が伴う問題点を有する。
【０００５】
従って、この発明の目的は、複数の異なる形態の通信回線網に対応して接続することができ、然も、その利用する回線に応じた適切な信号処理を行うことで迅速かつ効率的にデータを伝送することができる通信装置付きカメラ装置を提供することにある。
【０００６】
【課題を解決するための手段】
以上の問題を解決するために、請求項１の発明は、撮像信号からカメラ信号処理して得られる映像信号もしくは記録媒体に一旦記録された映像信号を遠隔地に伝送する通信装置付きカメラ装置において、複数の異なる回線と接続する接続手段と、複数の異なる回線から伝送時に使用する回線を指定すると共に、伝送条件を設定する設定入力手段と、設定入力手段の出力に基づいて使用する通信回線の伝送レートで伝送可能かどうかの判定処理を行うと共に、伝送可能な場合には、制御情報を生成する制御手段と、制御手段からの制御情報に基づいて撮像信号からカメラ信号処理して得られる映像信号もしくは記録媒体に一旦記録された映像信号を圧縮するデータ圧縮手段と、制御手段からの制御情報に基づいて複数の異なる回線の中から指定された回線に応じた送信信号処理を行う信号処理手段とを備え、記録媒体に一旦記録された映像信号を伝送するときで、使用する通信回線の伝送レートが記録媒体に記録された映像信号のデータレートよりも低い場合に、データ圧縮手段によって記録媒体に記録された映像信号が圧縮され、信号処理手段によって圧縮された映像信号に対して使用する通信回線に応じた送信信号処理が行われると共に、設定入力手段によって記録媒体に記録された映像信号の中から所定部分が指定され、信号処理手段によって指定された所定部分の映像信号に対して使用する通信回線に応じた送信信号処理が行われる通信装置付きカメラ装置である。
【０００７】
この発明では、伝送条件の設定時には、制御手段において、使用する通信回線の伝送レートで伝送可能かどうかの判定処理がなされ、伝送不可能と判定される場合には、その結果を表示するための表示情報が生成されて表示手段に供給されると共に、一部分の設定条件の変更により伝送可能となる場合には、設定条件の変更を促す表示を行うための表示情報が生成されて表示手段に供給される。一方、伝送可能と判定される場合には、その結果を表示する表示情報が制御手段において生成されて表示部に供給されると共に、一部分の設定条件の変更によりさらに効率的な伝送が可能とされる場合には、設定条件の変更を促す表示を行うための表示情報が生成されて表示手段に供給される。また、伝送可能と判定されて設定入力手段に対して所定操作がなされた際には、制御手段において、使用する通信回線の伝送能力に応じた効率的な伝送処理がなされるように各部を制御する制御情報が生成され、この制御情報が各部に供給される。このため、ユーザは、表示手段においてなされる表示に基づいて容易に各種設定を行うことができる共に、実際の伝送処理に際しては、迅速かつ効率的にデータを伝送することができる。
【０００８】
【発明の実施の形態】
以下、この発明の一実施形態について図面を参照して説明する。図１は、この発明の一実施形態の全体構成を示す。図１に示すようにこの発明の一実施形態においては、カメラ部１と通信部２とが一体に構成されている。
【０００９】
カメラ部１は、撮像部１１、カメラ信号処理部１２、メモリ１３、ＶＴＲ部１４等を有している。撮像部１１により撮影された被写体像は、例えば、ＣＣＤにより光電変換されて電荷出力となる。撮像部１１において生成された撮像信号がカメラ信号処理部１２に供給される。
【００１０】
カメラ信号処理部１２と、メモリ１３と、ＶＴＲ部１４とがそれぞれバスにより接続されており、それぞれの間において双方向にデータの授受が可能とされている。カメラ信号処理部１２は、撮像部１１からの撮像信号に対してホワイトバランス調整、輪郭強調、ガンマ補正処理等の処理を施し、マトリクス変換を行ってディジタル映像信号とアナログ映像信号とを生成する。そして、必要に応じてメモリ１３もしくはＶＴＲ部１４に供給して記録する。カメラ信号信号部１２において生成されたアナログ映像信号もしくはメモリ１３およびＶＴＲ部１４のアナログ映像信号が端子３を介して通信部２に供給される。また、カメラ信号信号部１２において生成されたディジタル映像信号もしくはメモリ１３およびＶＴＲ部１４のディジタル映像信号が端子４を介して通信部２に供給される。また、図示せずも音声信号処理部等も設けられており、アナログ音声信号が端子３を介して通信部２に供給されるとともに、ディジタル音声信号が端子４を介して通信部２に供給される。
【００１１】
通信部２は、Ａ／Ｄコンバータ２１、レートコンバータ２２、圧縮回路２３、ＶＴＲ圧縮回路２４、切替回路２５、送信信号処理部２６、マイクロコンピュータ２７、通信インターフェース２８、表示部２９、操作入力部３０および３個のコネクタ３１，３２，３３等により構成されている。端子３を介して供給されるアナログ映像（音声）信号がＡ／Ｄコンバータ２１に供給される。一方、端子４を介して供給されるディジタル映像（音声）信号がレートコンバータ２２に供給されると共に、切替回路２５に供給される。
【００１２】
Ａ／Ｄコンバータ２１は、マイクロコンピュータ２７からの制御情報に基づいてカメラ部１からのアナログ映像（音声）信号をサンプリングした後、量子化してディジタル映像（音声）信号に変換する。Ａ／Ｄコンバータ２１において変換されたディジタル映像（音声）信号が圧縮回路２３、ＶＴＲ圧縮回路２４および切替回路２５のそれぞれに供給される。
【００１３】
レートコンバータ２２は、マイクロコンピュータ２７からの制御情報に基づいてカメラ部１からのディジタル映像（音声）信号を次段の圧縮回路２３およびＶＴＲ圧縮回路２４に応じたサンプリングレートのディジタル映像（音声）信号に変換する。レートコンバータ２２において所定のサンプリング周波数に変換されたディジタル映像（音声）信号が圧縮回路２３、ＶＴＲ圧縮回路２４および切替回路２５のそれぞれに供給される。
【００１４】
圧縮回路２３は、マイクロコンピュータ２７からの制御情報に基づいて圧縮率可変にてＡ／Ｄコンバータ２１からのディジタル映像（音声）信号、もしくは、レートコンバータ２２からのディジタル映像（音声）信号、もしくは、端子４からのディジタル映像（音声）信号に対して圧縮処理を行う。圧縮処理としては、例えば、モーションＪＰＥＧ、ＭＰＥＧ、ＭＰＥＧ−２等の一般に用いられる全ての圧縮方法が用意されている。圧縮回路２３において生成された第１の圧縮信号が切替回路２５に供給される。
【００１５】
ＶＴＲ圧縮回路２４は、マイクロコンピュータ２７からの制御情報に基づいて受信側において記録に用いられるディジタルＶＴＲと同一方式の圧縮処理をＡ／Ｄコンバータ２１からのディジタル映像（音声）信号、もしくは、レートコンバータ２２からのディジタル映像（音声）信号、もしくは、端子４からのディジタル映像（音声）信号に対して行う。従って、ＶＴＲ圧縮回路２３においては、現行のＶＴＲに採用されている各種の圧縮方式が用意されている。ＶＴＲ圧縮回路２３において生成された第２の圧縮信号が切替回路２５に供給される。
【００１６】
切替回路２５には、圧縮回路２３を介されることで生成された第１の圧縮信号と、ＶＴＲ圧縮回路２４を介されることで生成された第２の圧縮信号と、Ａ／Ｄコンバータ２１からのディジタル映像（音声）信号と、レートコンバータ２２からのディジタル映像（音声）信号と、端子４から直接供給されるディジタル映像（音声）信号とが供給され、切替回路２５は、マイクロコンピュータ２７からの制御情報に基づいて５つの入力の中の一つを選択する。切替回路２５により選択された信号が切替回路２５の出力として送信信号処理部２６に供給される。
【００１７】
送信信号処理部２６は、パラレル／シリアル変換回路、スクランブラ、エンコーダ、変調回路等により構成されており、マイクロコンピュータ２７からの制御情報に基づいて使用する通信経路の規格に応じた符号化および変調処理等を行って送信信号を得る。具体的には、送信信号処理部２６において、切替回路２５の出力に対してパラレル／シリアル変換がなされ、得られたデータ列に対してスクランブル処理がなされる。そして、このスクランブル処理されたデータ列に対して符号化処理がなされ、さらに、変調処理がなされる。送信信号処理部２６において生成された送信信号が通信インターフェース２８に供給される。
【００１８】
通信インターフェース２８は、出力ドライバ等を有し、マイクロコンピュータ２７からの制御情報に基づいて送信信号処理部２６からの送信信号に対して使用する通信経路の規格に応じた出力波形に変換し、マイクロコンピュータ２８により指定される３個のコネクタ３１，３２，３３の中の一つにその変換出力を供給する。つまり、通信インターフェース２８は、利用する通信回線の電気的な仕様を満足する形態の伝送出力に変換する。
【００１９】
３個のコネクタ３１，３２，３３のそれぞれは、接続される通信経路の規格に応じた機械的な仕様を満足しており、コネクタ３１には、回線ａが接続され、コネクタ３２には、回線ｂが接続され、コネクタ３３には、回線ｃが接続されている。従って、通信インターフェース２８からの伝送出力は、３個のコネクタ３１，３２，３３の中の一つを介してそれぞれの通信回線ａ，ｂ，ｃのいずれかに送出される。なお、通信回線としては、電話回線、ＩＳＤＮ回線、ＡＴＭ回線およびインターネット等の公衆回線網や、専用回線網等が用いられる。
【００２０】
上述したように通信部２の各部を制御するマイクロコンピュータ２７には、表示部２９と、操作入力部３０とが接続されている。操作入力部３０には、複数の設定スイッチおよびテンキー等が配設されており、これらの設定スイッチおよびテンキーがユーザにより操作されると、操作入力部３０において、操作状態に応じた検出情報が生成され、この検出情報がマイクロコンピュータ２７に供給される。また、表示部２９は、例えば、ＬＥＤ、液晶表示板および駆動回路等を有しており、マイクロコンピュータ２９からの表示情報に基づいて各種表示を行う。
【００２１】
マイクロコンピュータ２７は、図示せずもメモリを有し、操作入力部３０の操作状態を検出情報により監視し、必要に応じて表示部２９への表示情報を生成して表示を行う。例えば、伝送条件の設定時には、使用する通信回線の伝送レートで伝送可能かどうかの判定処理を行い、伝送不可能と判定される場合には、その結果を表示すると共に、一部分の設定条件の変更により伝送可能となる場合には、設定条件の変更を促す表示を行う。また、伝送可能と判定される場合には、その結果を表示すると共に、一部分の設定条件の変更によりさらに効率的な伝送が可能とされる場合には、設定条件の変更を促す表示を行う。また、操作入力部３０に対して所定操作がなされて伝送動作を開始する際には、マイクロコンピュータ２７は、操作入力部３３からの検出情報に基づいてメモリから各種情報を読み出して各部への制御情報を生成し、生成した制御情報を各部に供給する。つまり、マイクロコンピュータ２７は、使用する通信回線の伝送能力に応じた効率的な伝送処理がなされるように各部を集中管理する。なお、マイクロコンピュータ２７のメモリには、伝送動作に先立って入力された使用する通信回線の伝送レートやエラー率等の設定情報等が格納される。また、マイクロコンピュータ２７のメモリには、各種判定処理を行うための通信規格に係わる各種情報等や、表示情報を生成するための各種情報等が予め格納されている。
【００２２】
一方、図１において５で示されるのが受信装置である。受信装置５は、３個のコネクタ５１，５２，５３、通信インターフェース５４、受信信号処理部５５、マイクロコンピュータ５６、表示部５７、操作入力部５８、ＶＴＲパラレルインターフェース５９、ＶＴＲシリアルインターフェース６０、圧縮解凍回路６１、ＶＴＲ圧縮解凍回路６２、切替回路６３、Ｄ／Ａコンバータ６４、レートコンバータ６５および外部インターフェース回路６６等により構成されている。
【００２３】
３個のコネクタ５１，５２，５３のそれぞれは、接続される通信経路の規格に応じた機械的な仕様を満足しており、コネクタ５１には、回線ａが接続され、コネクタ５２には、回線ｂが接続され、コネクタ５３には、回線ｃが接続されている。従って、通信部２からの伝送出力が３個のコネクタ５１，５２，５３の中の一つを介して通信インターフェース５４に供給される。
【００２４】
通信インターフェース５４は、入力ドライバ等を有し、マイクロコンピュータ５６からの制御情報に基づいて送信側においてなされた波形処理の逆を行って受信信号処理部５５で処理できる形態の受信信号に変換し、得られた受信信号を受信信号処理部５５に供給する。
【００２５】
受信信号処理部５５は、復調回路、デコーダ、デスクランブラ、シリアル／パラレル変換回路等により構成されており、マイクロコンピュータ５６からの制御情報に基づいて送信側になされた処理に応じた復調および復号処理を行って第１または第２の圧縮信号、もしくは、ディジタル映像（音声）信号を得る。具体的には、送信信号処理部２６において、受信信号に対して復調処理がなされた後、復号処理がなされる。そして、復号出力に対してデスクランブル処理がなされ、さらに、シリアル／パラレル変換される。受信信号処理部５５において復元された第１の圧縮信号が圧縮解凍回路６１に供給される。また、受信信号処理部５５において復元された第２の圧縮信号がＶＴＲ圧縮解凍回路６２、ＶＴＲパラレルインターフェース５９およびＶＴＲシリアルインターフェース６０のそれぞれに供給される。さらに、受信信号処理部５５において復元された未圧縮のディジタル映像（音声）信号が切替回路６３に供給される。
【００２６】
圧縮解凍回路６１は、マイクロコンピュータ５６からの制御情報に基づいて受信信号処理部５５からの第１の圧縮信号に対して送信側においてなされた処理に応じた解凍処理を行い、ディジタル映像（音声）信号を得る。圧縮解凍回路６１において解凍されたディジタル映像（音声）信号が切替回路６３に供給される。
【００２７】
ＶＴＲ圧縮解凍回路６２は、マイクロコンピュータ５６からの制御情報に基づいて受信信号処理部５５からの第２の圧縮信号に対して送信側においてなされた処理に応じた解凍処理を行い、ディジタル映像（音声）信号を得る。圧縮解凍回路６２において解凍されたディジタル映像（音声）信号が切替回路６３に供給される。
【００２８】
切替回路６３には、受信信号処理部５５から直接供給されるディジタル映像（音声）信号と、圧縮解凍回路６１からのディジタル映像（音声）信号と、ＶＴＲ圧縮解凍回路６２からのディジタル映像（音声）信号とが供給され、切替回路６３は、マイクロコンピュータ５６からの制御情報に基づいて３つの入力の中の一つを選択する。切替回路６３により選択された信号が切替回路６３の出力としてＤ／Ａコンバータ６４、レートコンバータ６５および外部インターフェース回路６６のそれぞれに供給される。
【００２９】
Ｄ／Ａコンバータ６４は、マイクロコンピュータ５６からの制御情報に基づいて切替回路６３を介して供給されるディジタル映像（音声）信号を必要に応じてアナログ映像（音声）信号に変換する。Ｄ／Ａコンバータ６４において変換されたアナログ映像（音声）信号が出力端子８を介して取り出される。
【００３０】
レートコンバータ６５は、必要に応じてマイクロコンピュータ２７からの制御情報に基づいて出力端子９に接続される回路で信号処理できるサンプリングレートのディジタル映像（音声）信号に変換する。レートコンバータ２２において所定のサンプリング周波数に変換されたディジタル映像（音声）信号が出力端子９を介して取り出される。
【００３１】
外部インターフェース回路６６は、外部機器にディジタル映像（音声）信号を送出するためのディジタルインターフェースであり、マイクロコンピュータ２７からの制御情報に基づいて処理がなされる。この外部インターフェース回路６６の出力が出力端子１０を介して取り出され、外部機器に供給される。
【００３２】
また、出力端子６には、記録に使用される一方のＶＴＲが接続される。ＶＴＲパラレルインターフェース５９は、受信信号処理部５５からの第２の圧縮信号に対してマイクロコンピュータ５６からの制御情報に基づいてインターフェース処理する。このＶＴＲパラレルインターフェース５９の出力が出力端子６を介して取り出され、一方のＶＴＲに供給される。さらに、出力端子７には、他方のＶＴＲが接続される。ＶＴＲシリアルインターフェース６０は、受信信号処理部５５からの第２の圧縮信号に対してマイクロコンピュータ５６からの制御情報に基づいてインターフェース処理する。このＶＴＲシリアルインターフェース６０の出力が出力端子７を介して取り出され、他方のＶＴＲに供給される。
【００３３】
上述したように受信装置５の各部を制御するマイクロコンピュータ５６には、表示部５７と、操作入力部５８とが接続されている。操作入力部５８には、複数の設定スイッチおよびテンキー等が配設されており、これらの設定スイッチおよびテンキーがユーザにより操作されると、操作入力部５８において、操作状態に応じた検出情報が生成され、この検出情報がマイクロコンピュータ５６に供給される。また、表示部５７は、例えば、ＬＥＤ、液晶表示板および駆動回路等を有しており、マイクロコンピュータ５６からの表示情報に基づいて各種表示を行う。
【００３４】
マイクロコンピュータ５６は、図示せずもメモリを有し、操作入力部５８の操作状態を検出情報により監視する。そして、操作入力部５８に対して所定操作がなされた際には、操作入力部５８からの検出情報に基づいてメモリから各種情報を読み出して各部への制御情報を生成し、生成した制御情報を各部に供給することで上述した各部を集中管理する。また、それと同時に表示部５７への表示情報を生成して表示を行う。なお、マイクロコンピュータ５６のメモリには、通信規格に係わる各種情報等が格納されている。
【００３５】
なお、上述した一実施形態においては、通信部２が送信機能のみを有する場合について説明したが、双方向に通信を行う場合には、上述した受信装置５の構成を通信部２に設け、送受信が行えるように構成される。
【００３６】
上述した一実施形態における伝送動作開始までの処理手順について説明する。先ず、実際の信号の伝送に先立って使用する通信回線ａ，ｂ，ｃが決定され、所定のコネクタに回線が接続される。そして、ユーザにより操作入力部３０が操作され、使用する通信回線の諸データが入力される。なお、使用する通信回線の伝送能力が判らない場合には、上述した受信装置５の構成を通信部２に設け、送受信が行えるようにし、通信部２と、受信装置５との間で通信を行って、自動的に回線の伝送レートやエラー率を測定してそれら数値を取得するよにうしても良い。
【００３７】
回線の諸データの入力が完了すると、表示部２９の表示に従いながら下記(1) 〜(5) の諸項目の全て、もしくは一部の入力がなされる。
【００３８】
(1) 撮像部１１からの信号をそのままリアルタイムで伝送するか、一度、ＶＴＲ部１４やメモリ１３に記録された信号を読み出して伝送するかどうかを選択する。
【００３９】
(2) ＶＴＲ部１４やメモリ１３に記録された信号を読み出して伝送する場合が選択された場合には、伝送する開始点と、終了点を入力する。
【００４０】
(3) ＶＴＲ部１４やメモリ１３に記録された信号を読み出して伝送する場合が選択された場合には、伝送に要しても良い時間を入力する。
【００４１】
(4) 圧縮方式を指定する場合には、その圧縮方式を選択する。
【００４２】
(5) ディジタル映像（音声）信号のサンプリングレートの設定や、映像信号の種類、伝送するフレーム数等を入力する。
【００４３】
上記(1) 〜(5) の諸項目が入力されると、マイクロコンピュータ２７において、使用する通信回線の伝送レートで伝送可能かどうかの判定処理がなされる。伝送不可能と判定される場合には、その結果が表示部２９においてなされると共に、一部分の設定条件の変更により伝送可能となる場合には、設定条件の変更を促す表示がなされる。また、伝送可能と判定される場合には、その結果が表示部２９においてなされると共に、一部分の設定条件の変更によりさらに効率的な伝送が可能とされる場合には、設定条件の変更を促す表示がなされる。そして、ユーザにより表示部５７の表示内容が確認されて再入力処理がなされ、最終的に最適な設定がなされて伝送開始を指示する所定操作がなされると、伝送動作が開始される。
【００４４】
なお、上述したように各種設定を行うことで、より効率的に伝送処理を行うことが可能となる。具体的には、例えば、ニュース素材が記録されたテープの信号を読み出して伝送する場合においては、実際に番組で使用する部分以外をタイムコードで指定して部分的に圧縮率を高くし、番組で使用する部分のみを低い圧縮率として高画質の映像を取材地から放送局に伝送することができ、伝送路を有効かつ効率的に利用することが可能となる。
【００４５】
上述した一実施形態により実際になされる伝送動作の具体例について図２Ａ、図２Ｂ、図２Ｃおよび図２Ｄを用いて説明する。なお、現行のテレビジョン放送方式（NTSC,PAL) の高品位なビデオデータは、例えば、データレートで２７０Ｍbps （ブランキング部を含む）である。図２Ａに示すように５００Ｍbps の伝送レートを有する通信回線を使用してカメラ部１の撮像部からの映像出力を伝送する場合には、例えば、マイクロコンピュータ２７により各部が制御されることにより通信部２においては、圧縮処理がなされず伝送され、当然、受信装置５側においての圧縮解凍処理が不要とされる。
【００４６】
また、図２Ｂに示すように２Ｍbps の伝送レートを有する通信回線を使用してカメラ部１の撮像部からの映像出力を伝送する場合には、例えば、マイクロコンピュータ２７により各部が制御されることにより通信部２においては、１／１３５の圧縮処理がなされて伝送され、受信装置５側において圧縮解凍処理がなされる。
【００４７】
図２Ｃに示すように受信装置５側にＶＴＲが接続されている場合で、５０Ｍbps の伝送レートを有する通信回線を使用してカメラ部１の撮像部からの映像出力を伝送する場合には、例えば、マイクロコンピュータ２７により各部が制御されることにより通信部２においては、受信装置５側のＶＴＲに記録するための所定フォーマットの圧縮処理がなされて伝送され、受信装置５側のＶＴＲに記録される。
【００４８】
図２Ｄに示すように５０ｋbps の伝送レートを有する通信回線を使用して既にＶＴＲ部等に記録されているニュース素材の例えば３分間の映像（音声）信号を読み出して伝送する場合には、例えば、先ず、大幅に圧縮して伝送される。具体的には、ＶＴＲ部からの再生段階で３０Ｍbps のデータとされ、さらに、１／１００の圧縮処理がなされ、１８分の所要時間で伝送される。そして、３分間の映像（音声）信号の中で必要な部分が指定され、その指定部分のみ圧縮しないで伝送される。具体的には、３分間の映像（音声）信号の中で５秒間分だけ指定された場合には、ＶＴＲ部からの再生段階で３０Ｍbps のデータがそのまま５０分の所要時間で伝送される。
【００４９】
【発明の効果】
この発明では、伝送条件の設定時には、制御手段において、使用する通信回線の伝送レートで伝送可能かどうかの判定処理がなされ、表示部において判定結果に応じた所定の表示がなされる。また、実際の伝送動作に際しては、制御手段において、使用する通信回線の伝送能力に応じた効率的な伝送処理がなされるように各部を制御する制御情報が生成され、この制御情報が各部に供給される。従って、この発明に依れば、ユーザは、表示に基づいて容易に各種設定を行うことができ、また、実際の伝送動作に際しては、迅速かつ効率的にデータを伝送することが可能となる。また、この発明に依れば、伝送路を有効に利用すると共に、圧縮率を必要に応じて部分的に変えて伝送するこができるため、コストの低減を図ることが可能となる。
【図面の簡単な説明】
【図１】この発明の一実施形態の全体構成を示すブロック図である。
【図２】この発明の一実施形態の動作説明に用いる模式図である。
【符号の説明】
１・・・カメラ部、２・・・通信部、１１・・・撮像部、１２・・・カメラ信号処理部、１３・・・メモリ、１４・・・ＶＴＲ部、２１・・・Ａ／Ｄコンバータ、２２・・・レートコンバータ、２３・・・圧縮回路、２４・・・ＶＴＲ圧縮回路、２５・・・切替回路、２６・・・送信信号処理部、２８・・・通信インターフェース、２９・・・表示部、３０・・・操作入力部、３１，３２，３３・・・コネクタ
【図１】
0004200590.tif 000002
【図２】
0004200590.tif 000003